(57)【要約】【課題】装置構造の複雑化を抑制しつつ、大荷重入力時に受圧液室内の液体にキャビテーションが発生することを防止する。【解決手段】防振装置１０では、逆止弁９６がゴム製の可動メンブラン９０と一体的に設けられた弁体９８を備え、受圧液室８４内の液圧が所定値まで低下すると、逆止弁９６が弁体９８を開口する。これにより、外筒金具１４又は取付金具１６を介して過大な荷重が入力し、受圧液室８４内の液圧が所定値まで低下すると、逆止弁９６が閉鎖状態から開放状態になって、弁体９８のスリット１０２を通して副液室８６から受圧液室８４内へ液体が流れ込むので、受圧液室８４内の液圧が所定値よりも低下することが阻止され、受圧液室８４内の液体にキャビテーション（気泡）が発生することを防止できる。【選択図】図１
2008175321.tif 000002
【特許請求の範囲】
【請求項１】
筒状に形成され、振動発生部及び振動受部の一方に連結される第１の取付部材と、
前記第１の取付部材の内周側に配置され、振動発生部及び振動受部の他方に連結される第２の取付部材と、
前記第１の取付部材と前記第２の取付部材との間に配置されたゴム状弾性体と、
液体が封入され、前記ゴム状弾性体を隔壁の一部とし、該ゴム状弾性体の変形に伴って内容積が変化する受圧液室と、
液体が封入され、液圧変化に応じて内容積が拡縮可能とされた副液室と、
前記第１の取付部材の内周側に配置され、前記受圧液室と前記副液室との間を区画した仕切部材と、
前記受圧液室と前記副液室とを互いに連通するオリフィス通路と、
前記仕切部材の内部に設けられ、該仕切部材に形成された第１の開口部及び第２の開口部を通して前記受圧液室及び前記副液室にそれぞれ連通した収納室と、
前記収納室の内部に配置され、入力振動に同期して振動して前記第１の開口部及び第２の開口部を通じた前記受圧液室と前記副液室との間の液体流通を制御するメンブラン部材と、
前記メンブラン部材と一体的に設けられた弁体部を備え、前記受圧液室内の液圧が所定の下限値まで低下すると、前記弁体部を開放状態として前記副液室から前記受圧液室へのみ液体を流通させ、前記受圧液室内の液圧が前記下限値よりも高いときには、前記弁体部を閉鎖状態に維持する逆止弁と、
を有することを特徴とする防振装置。
【請求項２】
筒状に形成され、振動発生部及び振動受部の一方に連結される第１の取付部材と、
前記第１の取付部材の内周側に配置され、振動発生部及び振動受部の他方に連結される第２の取付部材と、
前記第１の取付部材と前記第２の取付部材との間に配置されたゴム状弾性体と、
液体が封入され、前記ゴム状弾性体を隔壁の一部とし、該ゴム状弾性体の変形に伴って内容積が変化する受圧液室と、
液体が封入され、液圧変化に応じて内容積が拡縮可能とされた副液室と、
前記第１の取付部材の内周側に配置され、前記受圧液室と前記副液室との間を区画した仕切部材と、
前記受圧液室と前記副液室とを互いに連通するオリフィス通路と、
前記仕切部材に、前記受圧液室と前記副液室との間を貫通するように形成された連通開口と、
前記仕切部材に前記連通開口を閉塞するように配置され、前記受圧液室内の液圧変化に応じて該受圧液室の内容積を拡縮するように弾性変形するメンブラン部材と、
前記メンブラン部材と一体的に設けられた弁体部を備え、前記受圧液室内の液圧が所定の下限値まで低下すると、前記弁体部を開放状態として前記副液室から前記受圧液室へのみ液体を流通させ、前記受圧液室内の液圧が前記下限値よりも高いときには前記弁体部を閉鎖状態に維持する逆止弁と、
を有することを特徴とする防振装置。
【請求項３】
前記メンブラン部材及び前記弁体部を、ゴム状弾性体により一体的に形成したことを特徴とする請求項１又は２記載の防振装置。
【請求項４】
前記弁体部は、前記受圧液室と前記副液室との間を仕切るように設けられた弾性隔壁と、前記弾性隔壁を厚さ方向に沿って貫通するように形成されたスリットと、前記弾性隔壁の一部により形成され、前記スリットを開閉する方向へ撓み変形可能とされた可撓片と、を有することを特徴とする請求項３記載の防振装置。
【請求項５】
前記逆止弁は、前記受圧液室内の液圧が前記下限値よりも高いときには、前記スリットを閉じた状態に維持し、前記受圧液室内の液圧が前記下限値まで低下すると、前記可撓片を前記受圧液室側へ撓み変形させて前記スリットを開口させること特徴とする請求項４記載の防振装置。
【請求項６】
前記逆止弁は、前記受圧液室内の液圧が前記副液室内の液圧よりも高くなったときときに、前記可撓片が前記副液室側へ撓み変形することを制限して、前記スリットを閉じた状態に維持するストッパ部を有することを特徴とする請求項５記載の防振装置。
【発明の詳細な説明】
【技術分野】
【０００１】
本発明は、例えば、自動車、一般産業用機械等に適用され、エンジン等の振動発生部から車体等の振動受部へ伝達される振動を遮断及び吸収する防振装置に関する。
【背景技術】
【０００２】
自動車には、エンジンと車体（フレーム）との間に振動伝達を阻止するためにエンジンマウントが配置されている。このようなエンジンマウントとして適用される防振装置としては、例えば、特許文献１に示されている液体封入式のものが知られている。特許文献１に示された防振装置は、ゴム状弾性体を内壁の一部とする受圧液室と、ダイヤフラムを隔壁の一部とする副液室と、受圧液室と副液室とを互いに連通するオリフィス通路とを備えている。
【０００３】
ところで、上記のような液体封入式の防振装置では、大きな振動（荷重）が入力して受圧液室内の圧力が急激に上昇した場合に、オリフィス通路が目詰まりした状態になると共に、受圧液室内の液圧が急激に上昇した後に、受圧液室内の液圧が０Ｐａ（絶対圧）まで低下する現象が発生することがある。このように受圧液室内の液圧が０Ｐａ（絶対圧）まで低下すると、受圧液室内の液体中に多数の気泡が生成されるキャビテーションが発生する。このようにして受圧液室内の液体中に発生した気泡は、その後の液圧変化（圧力上昇）に伴って消滅するときに異音を発生し、その異音が車室内に伝達されてしまうことから静粛性の悪化を招く原因となり、また液圧上昇の開始後に気泡が完全に消滅するまでに一定の時間を要することから、入力振動に対する受圧液室の液圧変化量を小さくして、防振装置の振動吸収性能を低下させる原因ともなる。
【０００４】
そこで、特許文献１記載の防振装置では、受圧液室と副液室との間を仕切る仕切部材に、受圧液室内の液圧が所定の下限値まで低下すると、開放状態となって副液室から受圧液室へ液体を流通させるチェックバルブ（逆止弁）が設けられている。これにより、大荷重が入力し、受圧液室内の液圧が急激に低下すると、逆止弁を通して副液室から受圧液室へ液体が流入することから、受圧液室内の液圧を０Ｐａ（絶対圧）よりも常に高く維持してキャビテーション発生を防止できる。
【特許文献１】特開２００５−４８９０６号公報
【発明の開示】
【発明が解決しようとする課題】
【０００５】
しかしながら、特許文献１記載の防振装置では、逆止弁が円筒状のハウジングと、このハウジング内に配置されたスプリングと、このスプリングに付勢されたボール（弁体）とを備えた、所謂ボールチェックバルブとして構成されており、このボールチェックバルブが仕切部材に設けられた取付部に取り付けられている。このため、特許文献１記載の防振装置では、逆止弁自体の構造が複雑であると共に、この逆止弁が取り付けられる仕切部材の構造が複雑になるので、装置の構造が複雑になるという問題が生じる。
【０００６】
本発明の目的は、上記事実を考慮して、装置構造の複雑化を抑制しつつ、大荷重入力時に受圧液室内の液体にキャビテーションが発生することを防止できる防振装置を提供することにある。
【課題を解決するための手段】
【０００７】
上記課題を解決するため、本発明の請求項１に係る防振装置は、筒状に形成され、振動発生部及び振動受部の一方に連結される第１の取付部材と、前記第１の取付部材の内周側に配置され、振動発生部及び振動受部の他方に連結される第２の取付部材と、前記第１の取付部材と前記第２の取付部材との間に配置されたゴム状弾性体と、液体が封入され、前記ゴム状弾性体を隔壁の一部とし、該ゴム状弾性体の変形に伴って内容積が変化する受圧液室と、液体が封入され、液圧変化に応じて内容積が拡縮可能とされた副液室と、前記第１の取付部材の内周側に配置され、前記受圧液室と前記副液室との間を区画した仕切部材と、前記受圧液室と前記副液室とを互いに連通するオリフィス通路と、前記仕切部材の内部に設けられ、該仕切部材に形成された第１の開口部及び第２の開口部を通して前記受圧液室及び前記副液室にそれぞれ連通した収納室と、前記収納室の内部に配置され、入力振動に同期して振動して前記第１の開口部及び第２の開口部を通じた前記受圧液室と前記副液室との間の液体流通を制御するメンブラン部材と、前記メンブラン部材と一体的に設けられた弁体部を備え、前記受圧液室内の液圧が所定の下限値まで低下すると、前記弁体部を開放状態として前記副液室から前記受圧液室へのみ液体を流通させ、前記受圧液室内の液圧が前記下限値よりも高いときには、前記弁体部を閉鎖状態に維持する逆止弁と、を有することを特徴とする。
【０００８】
上記請求項１に係る防振装置では、第１の取付部材又は第２の取付部材を介して振動発生部から振動が入力時すると、吸振主体であるゴム状弾性体が振動により弾性変形することにより、入力振動がゴム状弾性体により遮断及び吸収される。
【０００９】
また請求項１に係る防振装置では、振動発生部から振動が入力すると、受圧液室内からメンブラン部材に入力振動に同期して周期的に変化する液圧（圧力波）が作用することにより、メンブラン部材が収納室内で受圧液室内の液圧変化に同期して往復運動（振動）すると共に、第１の開口部及び第２の開口部を交互に開閉する動作を繰り返す。
【００１０】
このとき、入力振動の周波数が所定値よりも低く振幅が大きい場合には、受圧液室内の液圧が副液室内の液圧に対して実質的に変化している時期に、メンブラン部材が第１の開口部及び第２の開口部の何れか一方を閉塞することにより、収納室内を通って液体が受圧液室と副液室との間を実質的に流通することがなくなり、オリフィス通路のみを通して受圧液室と副液室との間で液体が行き来するので、オリフィス通路内を流通する液体に共振現象（液柱共振）が生じ、この液柱共振の作用によって低周波側の入力振動を効果的に減衰できる。
【００１１】
また入力振動の周波数が所定値以上で振幅が小さい場合には、オリフィス通路が目詰まり状態となりオリフィス通路には液体が流れ難くなるが、メンブラン部材が収納室内で入力振動に同期して振動することにより、受圧液室内の液圧が副液室内の液圧に対して実質的に変化している時期に、メンブラン部材が第１の開口部及び第２の開口部の一方を開放し、液体が収納室内を通って受圧液室と副液室との間で液体が行き来するので、受圧液室内の液圧上昇に伴う動ばね定数の上昇を抑えることができ、このような高周波側の振動の入力時も装置の動ばね定数を低く維持し、ゴム状弾性体の弾性変形により高周波側の入力振動を効果的に遮断及び吸収できる。
【００１２】
また請求項１に係る防振装置では、逆止弁がメンブラン部材と一体的に設けられた弁体部を備え、受圧液室内の液圧が所定の下限値まで低下すると、弁体部を開放状態として前記副液室から前記受圧液室へのみ液体を流通させ、受圧液室内の液圧が下限値よりも高いときには、弁体部を閉鎖状態に維持することにより、第１の取付部材又は第２の取付部材を介して過大な荷重が入力し、受圧液室内の液圧に大きな変化が生じ、受圧液室内の液圧が所定の下限値まで低下すると、逆止弁が閉鎖状態にあった弁体部を開放状態として、弁体部を通して副液室から受圧液室内へ液体が流れ込むので、受圧液室内の液圧が下限値よりも低下することが阻止される。
【００１３】
この結果、弁体部が作動する圧力である下限値を０Ｐａ（絶対圧）よりも高く設定しておけば、受圧液室内の液圧を０Ｐａ（絶対圧）よりも高圧に維持し、受圧液室内の液体にキャビテーション（気泡）が発生することを防止できるので、気泡の消滅に伴う異音の発生及び防振性能の低下を防止できる。
【００１４】
また逆止弁における弁体部がメンブラン部材と一体的に設けられていることから、逆止弁自体の構造及び逆止弁が配置される仕切部材の構造をそれぞれ簡単なものにできるので、逆止弁を設けることによる装置構造の複雑化を抑制できる。
【００１５】
また本発明の請求項２に係る防振装置は、筒状に形成され、振動発生部及び振動受部の一方に連結される第１の取付部材と、前記第１の取付部材の内周側に配置され、振動発生部及び振動受部の他方に連結される第２の取付部材と、前記第１の取付部材と前記第２の取付部材との間に配置されたゴム状弾性体と、液体が封入され、前記ゴム状弾性体を隔壁の一部とし、該ゴム状弾性体の変形に伴って内容積が変化する受圧液室と、液体が封入され、液圧変化に応じて内容積が拡縮可能とされた副液室と、前記第１の取付部材の内周側に配置され、前記受圧液室と前記副液室との間を区画した仕切部材と、前記受圧液室と前記副液室とを互いに連通するオリフィス通路と、前記仕切部材に、前記受圧液室と前記副液室との間を貫通するように形成された連通開口と、前記仕切部材に前記連通開口を閉塞するように配置され、前記受圧液室内の液圧変化に応じて該受圧液室の内容積を拡縮するように弾性変形するメンブラン部材と、前記メンブラン部材と一体的に設けられた弁体部を備え、前記受圧液室内の液圧が所定の下限値まで低下すると、前記弁体部を開放状態として前記副液室から前記受圧液室へのみ液体を流通させ、前記受圧液室内の液圧が前記下限値よりも高いときには前記弁体部を閉鎖状態に維持する逆止弁と、を有することを特徴とする。
【００１６】
上記請求項２に係る防振装置では、第１の取付部材又は第２の取付部材を介して振動発生部から振動が入力時すると、吸振主体であるゴム状弾性体が振動により弾性変形することにより、入力振動がゴム状弾性体により遮断及び吸収される。
【００１７】
また請求項２に係る防振装置では、入力振動の周波数が所定値よりも低い場合には、オリフィス通路を通して受圧液室と副液室との間で液体が行き来するので、オリフィス通路内を流通する液体に共振現象（液柱共振）が生じ、この液柱共振の作用によって低周波側の入力振動を効果的に減衰でき、また入力振動の周波数が所定値以上の場合には、オリフィス通路が目詰まり状態となりオリフィス通路には液体が流れ難くなるが、メンブラン部材が収納室内で受圧液室内の液圧変化に同期して受圧液室の内容積を拡縮する方向へ弾性変形することにより、受圧液室内の液圧上昇に伴う動ばね定数の上昇を抑えることができ、このような高周波側の振動の入力時も装置の動ばね定数を低く維持し、ゴム状弾性体の弾性変形により低周波側の入力振動を効果的に遮断及び吸収できる。
【００１８】
また請求項２に係る防振装置では、逆止弁がメンブラン部材と一体的に設けられた弁体部を備え、受圧液室内の液圧が所定の下限値まで低下すると、弁体部を開放状態として副液室から受圧液室へのみ液体を流通させ、受圧液室内の液圧が下限値よりも高いときには、弁体部を閉鎖状態に維持することにより、第１の取付部材又は第２の取付部材を介して過大な荷重が入力し、受圧液室内の液圧に大きな変化が生じ、受圧液室内の液圧が所定の下限値まで低下すると、逆止弁が閉鎖状態にあった弁体部を開放状態として、弁体部を通して副液室から受圧液室内へ液体が流れ込むので、受圧液室内の液圧が下限値よりも低下することが阻止される。
【００１９】
この結果、弁体部が作動する圧力である下限値を０Ｐａ（絶対圧）よりも高く設定しておけば、受圧液室内の液圧を０Ｐａ（絶対圧）よりも高圧に維持し、受圧液室内の液体にキャビテーション（気泡）が発生することを防止できるので、気泡の消滅に伴う異音の発生及び防振性能の低下を防止できる。
【００２０】
また逆止弁における弁体部がメンブラン部材と一体的に設けられていることから、逆止弁自体の構造及び逆止弁が配置される仕切部材の構造をそれぞれ簡単なものにできるので、逆止弁を設けることによる装置構造の複雑化を抑制できる。
【００２１】
また本発明の請求項３に係る防振装置は、請求項１又は２記載の防振装置において、前記メンブラン部材及び前記弁体部を、ゴム状弾性体により一体的に形成したことを特徴とする。
【００２２】
また本発明の請求項４に係る防振装置は、請求項３記載の防振装置において、前記弁体部は、前記受圧液室と前記副液室との間を仕切るように設けられた弾性隔壁と、前記弾性隔壁を厚さ方向に沿って貫通するように形成されたスリットと、前記弾性隔壁の一部により形成され、前記スリットを開閉する方向へ撓み変形可能とされた可撓片と、を有することを特徴とする。
【００２３】
また本発明の請求項５に係る防振装置は、請求項４記載の防振装置において、前記逆止弁は、前記受圧液室内の液圧が前記下限値よりも高いときには、前記スリットを閉じた状態に維持し、前記受圧液室内の液圧が前記下限値まで低下すると、前記可撓片を前記受圧液室側へ撓み変形させて前記スリットを開口させること特徴とする。
【００２４】
また本発明の請求項６に係る防振装置は、請求項５記載の防振装置において、前記逆止弁は、前記受圧液室内の液圧が前記副液室内の液圧よりも高くなったときときに、前記可撓片が前記副液室側へ撓み変形することを制限して、前記スリットを閉じた状態に維持するストッパ部を有することを特徴とする。
【発明の効果】
【００２５】
以上説明したように本発明の防振装置によれば、装置構造の複雑化を抑制しつつ、大荷重入力時に受圧液室内の液体にキャビテーションが発生することを防止できる。
【発明を実施するための最良の形態】
【００２６】
以下、本発明の実施形態に係る防振装置について図面を参照して説明する。
【００２７】
[第１実施形態]
（第１実施形態の構成）
図１には、本発明の第１実施形態に係る防振装置が示されている。この防振装置１０は、自動車における振動発生部であるエンジンを振動受部である車体へ支持するエンジンマウントとして適用されるものである。なお、図中、符合Ｓは装置の軸心を示しており、この軸心Ｓに沿った方向を装置の軸方向として以下の説明を行う。
【００２８】
図１に示されるように、防振装置１０は、有底円筒状に形成されたブラケット金具１２と、ブラケット金具１２の内周側に嵌挿された円筒状の外筒金具１４と、外筒金具１４の上方に略同軸的に配置された取付金具１６と、外筒金具１４と取付金具１６との間に配置されたゴム製の弾性体１８を備えている。
【００２９】
取付金具１６には、下端側に略肉厚円板状のアンカ部２０が形成されると共に、このアンカ部２０の上端面から軸心Ｓに沿って突出する円筒状の連結部２２が一体的に形成されている。連結部２２には中心部にねじ孔２４が穿設されており、このねじ孔２４にはスタッドボルト２６が捻じ込まれている。取付金具１６は、スタッドボルト２６を介してエンジン側に締結固定される。またブラケット金具１２の底板部には、ボルト２７の頭部が溶接等により固着されており、ブラケット金具１２はボルト２７を介して車体側へ締結固定される。
【００３０】
外筒金具１４には、上端部に円筒状のスペーサ部２８が形成されると共に、下端側にスペーサ部２８に対して小径とされた円筒状のホルダ部３０が形成されている。外筒金具１４には、スペーサ部２８とホルダ部３０との間に内周側へ縮径された絞り部３２が全周に亘って形成されている。
【００３１】
弾性体１８は略肉厚円筒状に形成されており、その内外径が上端側から下端側へ向って拡大している。弾性体１８には、下端面中央部に液室形成部３４が円形凹状に形成されると共に、この液室形成部３４の外周側の下端部から下方へ延出する薄肉円筒状の被覆部３６が一体的に形成されている。弾性体１８は、下端側の外周面が外筒金具１４におけるスペーサ部２８及び絞り部３２の内周側に加硫接着される共に、上端側の内周面がアンカ部２０の外周側に加硫接着されている。これにより、取付金具１６と外筒金具１４とは弾性体１８を介して弾性的に連結される。
【００３２】
弾性体１８の被覆部３６は、外筒金具１４のホルダ部３０の内周面に加硫接着されている。弾性体１８には、アンカ部２０の上端面における外周側を被覆するストッパゴム部３８が一体的に形成されている。ストッパゴム部３８は、ブラケット金具１２の上側にかしめ固定されたカップ状のストッパ金具４０の頂板部４２に一定の間隔を空けて対向している。
【００３３】
防振装置１０には、外筒金具１４におけるホルダ部３０の内周側に仕切部材４４が配置されている。仕切部材４４は全体として肉厚円板状に形成されており、被覆部３６を介してホルダ部３０の内周側に嵌挿されている。図２に示されるように、仕切部材４４は、上端側が頂板部４８により閉止された円筒状の本体ブロック４６及び、本体ブロック４６の上端面に固着される略円板状の蓋金具５０を備えている。
【００３４】
本体ブロック４６の上面中央部には円形凹状の凹部５２が形成されており、この凹部５２の下端側は頂板部４８により閉止されている。また本体ブロック４６には、図３及び図４に示されるように、内周側に上端側が頂板部４８により閉止された円柱状の空間が形成されており、この円柱状の空間は液室形成部５４とされている。
【００３５】
本体ブロック４６の頂板部４８には、図２に示されるように、軸方向へ貫通する複数個（本実施形態では、４個）の下側開口５６が形成されている。これらの下側開口５６は、それぞれ内周側から外周側へ向ってテーパ状に幅が広がる略扇状に形成されており、周方向に沿って等ピッチ（９０°ピッチ）で配列されている。また頂板部４８は、複数個の下側開口５６の内周側がストッパ部５８として構成されており、このストッパ部５８には、下側開口５６に対して開口面積が小さい円形の下側流通孔６０が複数個穿設されている。
【００３６】
本体ブロック４６には、外周面に断面が略矩形状とされたオリフィス溝６２が周方向へ延在するように形成されている。本体ブロック４６には、オリフィス溝６２の一端部と本体ブロック４６の上端面との間を貫通する上側連通路６４が形成されると共に、図３及び図５に示されるように、オリフィス溝６２の他端部と本体ブロック４６の下端面との間を貫通する下側連通路６６が形成されている。また蓋金具５０には、その外周側に略矩形状の切欠部６８が形成されている。これにより、オリフィス溝６２の一端部は、上側連通路６４及び切欠部６８を介して後述する受圧液室８４に連通する。またオリフィス溝６２の他端部は、下側連通路６６を介して後述する副液室８６に連通する。
【００３７】
図２に示されるように、本体ブロック４６の上端面には、凹部５２の外周側に複数本のかしめピン７０が一体的に形成されている。一方、蓋金具５０の外周側には複数個のピン孔７２が穿設されている。防振装置１０では、本体ブロック４６のかしめピン７０がピン孔７２に挿入された後に、かしめピン７０の先端部が拡径するように加圧されることにより、蓋金具５０が本体ブロック４６の上端面に密着した状態で固定される。
【００３８】
蓋金具５０には、複数個のピン孔７２の内周側に軸方向へ貫通する複数個（本実施形態では、４個）の上側開口７４が形成されている。これらの上側開口７４は、それぞれ本体ブロック４６における複数個の下側開口５６と実質的に同一の形状及び開口面積を有している。また蓋金具５０は、複数個の上側開口７４の内周側が流通部７６とされており、この流通部７６には、上側開口７４に対して開口面積が小さい円形の上側流通孔７８が複数個穿設されている。
【００３９】
図１に示されるように、外筒金具１４のホルダ部３０の内周側には、仕切部材４４の下側に円筒状の支持部材８０が嵌挿されており、支持部材８０は、その上端部を仕切部材４４下端面の外周縁部へ当接させている。このとき、仕切部材４４は、上端面における外周側を外筒金具１４の絞り部３２へ当接させる。この状態で、ホルダ部３０の下端部が内周側へかしめられることにより、仕切部材４４及び支持部材８０が軸方向への移動が拘束されてホルダ部３０内に固定される。
【００４０】
防振装置１０は、支持部材８０の内周側を閉塞するゴム製のダイヤフラム８２を備えている。ダイヤフラム８２は上方へ向って凸の椀状に形成されており、その外周側が全周に亘って支持部材８０の内周面に加硫接着されている。これにより、防振装置１０では、液室形成部５４の下端側がダイヤフラム８２により閉塞されて、仕切部材４４とダイヤフラム８２との間に外部から区画された空間である副液室８６が形成される。また防振装置１０では、弾性体１８における液室形成部３４の下端側が仕切部材４４（蓋金具５０）の上端面により閉塞されて、弾性体１８と仕切部材４４との間に外部から区画された空間である受圧液室８４が形成される。
【００４１】
図１に示されるように、防振装置１０では、仕切部材４４の外周面がホルダ部３０に加硫接着された被覆部３６に圧接して、仕切部材４４のオリフィス溝６２の外周側が被覆部３６により閉塞される。これにより、オリフィス溝６２内には、上側連通路６４を介して受圧液室８４に連通すると共に、下側連通路６６を介して副液室８６に連通する細長い空間であるオリフィス空間が形成される。
【００４２】
仕切部材４４は、本体ブロック４６の上端面に蓋金具５０が固定されることにより、図３に示されるように、本体ブロック４６の凹部５２内に外部から区画された収納室８８が形成される。この収納室８８内には、ゴムを素材として略円板状に形成された可動メンブラン９０（図６参照）が収納されている。図６に示されるように、可動メンブラン９０には、その中心部に厚さが一定のボス部９２が設けられると共に、このボス部９２の外周端から外周側へ向ってテーパ状に肉厚が序々に薄くなる弁体部９４が一体的に形成されている。ボス部９２は、図３及び図４に示されるように、仕切部材４４のストッパ部５８と蓋金具５０の流通部７６との間に圧縮状態となるように挟持される。これにより、可動メンブラン９０は収納室８８内で径方向及び軸方向に沿って固定される。
【００４３】
可動メンブラン９０の弁体部９４は、その外周端部における厚さＰＴが収納室８８の軸方向に沿った幅ＳＴよりも所定寸法短くなっている。この弁体部９４の厚さＰＴと収納室８８の幅ＳＴとの差は、例えば、車両における相対的な低周波振動であるシェイク振動の振幅よりも小さく、かつ高周波振動であるアイドル振動の振幅よりも大きくなるように設定されている。これにより、弁体部９４と本体ブロック４６の頂板部４８及び蓋金具５０との間には軸方向に沿ってシェイク振動とアイドル振動との振幅差に対応する幅の隙間が形成される。
【００４４】
また弁体部９４の外径は収納室８８の内径よりも僅かに小さくなっており、弁体部９４の外周端は、頂板部４８の下側開口５６及び蓋金具５０の上側開口７４の外周縁よりも内周側に位置している。
【００４５】
図３に示されるように、可動メンブラン９０には、ボス部９２の中央部に受圧液室８４と副液室８６とを連通する液体流路Ｆが形成されている。また防振装置１０には、可動メンブラン９０の液体流路Ｆ内における液体の流通を制御するための逆止弁９６が設けられている。逆止弁９６は、仕切部材４４の頂板部４８の一部として構成されたストッパ部５８と、ボス部９２の内周側に配置される弁体９８とを備えており、弁体９８は可動メンブラン９０と一体的に形成されている。
【００４６】
図６に示されるように、弁体９８は、液体流路Ｆを閉塞するように設けられた弾性隔壁１００を備えている。弾性隔壁１００は、その下端面が本体ブロック４６のストッパ部５８と僅かな間隔を空けて対向するように配置（図３参照）されている。弾性隔壁１００には、径方向に沿って直線的に延在する複数本のスリット１０２が形成されており、スリット１０２は弾性隔壁１００を厚さ方向に沿って貫通している。本実施形態では、弾性隔壁１００には４本のスリット１０２が形成されており、各スリット１０２は、軸心Ｓを中心する周方向に沿って等ピッチ（４５°ピッチ）で配置されている。
【００４７】
弾性隔壁１００には、複数本のスリット１０２が形成されることにより、それぞれ略扇状に形成された複数枚（本実施形態では、８枚）の可撓片１０４が形成される。これらの可撓片１０４は、それぞれ軸方向に沿って撓み変形可能とされているが、図３に示されるように、収納室８８内に収納された状態では、下側（副液室８６側）への撓み変形がストッパ部５８により実質的に阻止されることから、図６（Ｂ）に示されるように、上側（受圧液室８４側）へのみ撓み変形可能になる。
【００４８】
弁体９８は、図６（Ｂ）に示されるように、複数枚の可撓片１０４がそれぞれ受圧液室８４へ撓み変形すると、複数本のスリット１０２をそれぞれ開口する開放状態となり、液体流路Ｆにおける液体流通を許容する。また弁体９８は、図６（Ａ）に示されるように、複数枚の可撓片１０４がそれぞれ撓み変形していないときには、複数本のスリット１０２をそれぞれ閉鎖する閉鎖状態となり、液体流路Ｆにおける液体流通を阻止する。
【００４９】
図１に示されるように、ブラケット金具１２の上端部には、内周側に外筒金具１４のスペーサ部２８が配置される大径部１０６が形成されており、この大径部１０６内には、スペーサ部２８の上側にストッパ金具４０の下端部に形成されたフランジ部４１が嵌挿されている。防振装置１０では、大径部１０６の上端部が内周側へ屈曲されることにより、外筒金具１４がブラケット金具１２内に固定されると共に、ストッパ金具４０がブラケット金具１２の上側にかしめ固定される。
【００５０】
防振装置１０では、オリフィス溝６２、上側連通路６４及び下側連通路６６からなるオリフィス空間により受圧液室８４と副液室８６とを互いに連通させるシェイクオリフィス１０８が構成されている。ここで、シェイクオリフィス１０８の路長及び断面積、すなわち液体の流通抵抗は、車両における低周波域の共振振動であるシェイク振動の周波数（例えば、８Ｈｚ〜１２Ｈｚ）に対応するように設定（チューニング）されている。
【００５１】
防振装置１０では、受圧液室８４、副液室８６及び、これらを連通するシェイクオリフィス１０８内にエチレングリコール、水等の液体が充填される。ここで、受圧液室８４は弾性体１８の弾性変形に伴って内容積が拡縮し、また副液室８６は、内部に充填された液体の液圧変化に応じてダイヤフラム８２が変形することにより、その内容積が変化（拡縮）する。
【００５２】
防振装置１０では、仕切部材４４内の収納室８８が下側開口５６を通して副液室８６と連通すると共に、上側開口７４を通して受圧液室８４と連通している。これにより、受圧液室８４内と副液室８６内に液圧差が生じると、可動メンブラン９０は、弁体部９４を受圧液室８４内と副液室８６内の液圧差を駆動力として弁体部９４を撓み変形させ、弁体部９４を収納室８８内で軸方向に沿って往復移動（振動）させる。このとき、弁体部９４の下面側が頂板部４８に接した状態になると、弁体部９４により下側開口５６が実質的に閉塞され、また弁体部９４の上面側が蓋金具５０に接した状態になると、弁体部９４により上側開口７４が実質的に閉塞される。
【００５３】
防振装置１０では、受圧液室８４内の液圧が予め設定された下限値ＰＬ（＞０Ｐａ（絶対圧））よりも高いときには、逆止弁９６がスリット１０２を閉じた閉鎖状態に維持され、受圧液室８４内の液圧が下限値ＰＬまで低下すると、可撓片１０４が受圧液室８４側へ撓み変形して逆止弁９６が開放状態になる。すなわち、可撓片１０４は、撓み方向に沿った剛性が下限値ＰＬに対応するものになっている。
【００５４】
なお、可撓片１０４は、受圧液室８４内の液圧が副液室８６内の液圧よりも所定値以上高くなると、受圧液室８４の液圧（正圧）を受けて副液室８６側へ撓み変形しようとするが、このとき、ストッパ部５８が可撓片１０４の撓み変形を阻止することから、可撓片１０４が受圧液室８４から大きな液圧（正圧）を受けた場合にも、スリット１０２が確実に閉鎖状態に維持される。
【００５５】
（第１実施形態の作用）
次に、上記のように構成された本実施形態に係る防振装置１０の動作及び作用について説明する。
【００５６】
防振装置１０では、エンジン又は車体側からの振動入力時に、吸振主体である弾性体１８が弾性変形すると、入力振動が弾性体１８により遮断及び吸収される。
【００５７】
また防振装置１０では、エンジン又は車体側からの振動入力時に、弾性体１８が弾性変形すると、受圧液室８４の内容積が変化（拡縮)して液圧が変化する。この液圧変化に伴って、シェイクオリフィス１０８を通って受圧液室８４と副液室８６との間で液体が相互に流通すると共に、収納室８８内の可動メンブラン９０に入力振動に同期して周期的に変化する液圧（圧力波）が作用する。これにより、可動メンブラン９０の弁体部９４は、収納室８８内で受圧液室８４内の液圧変化に同期して軸方向に沿って撓み変形しつつ振動すると共に、仕切部材４４における頂板部４８及び蓋金具５０に交互に当接及び離間する。
【００５８】
防振装置１０では、受圧液室８４内の液圧変化に同期して可動メンブラン９０の弁体部９４が振動する際に、弁体部９４が頂板部４８及び蓋金具５０の双方から離間すると、下側開口５６及び上側開口７４がそれぞれ開放されると共に、可動メンブラン９０の外周端と収納室８８の内周面との間に隙間が形成されることから、下側開口５６、収納室８８及び上側開口７４を通じて、受圧液室８４と副液室８６との間で液体が流通可能になる。
【００５９】
このとき、防振装置１０では、入力振動の周波数がシェイク振動の周波数（例えば、８〜１２Ｈｚ）以下で、その振幅が相対的に大きい場合は、受圧液室８４と副液室８６との間に実質的に液圧差が生じている時に、可動メンブラン９０の弁体部９４が頂板部４８及び蓋金具５０の一方に密着した状態となり、下側開口５６及び上側開口７４の一方を閉塞する。これにより、シェイク振動の入力時には、収納室８８を通って液体が受圧液室８４と副液室８６との間を実質的に流通しなくなり、シェイクオリフィス１０８のみを通して受圧液室８４と副液室８６との間で液体が相互に流通する。
【００６０】
シェイクオリフィス１０８は、その路長及び断面積がシェイク振動周波数及び振幅に適合するようにチューニングされている。この結果、防振装置１０では、入力振動が特にシェイク振動である場合には、シェイクオリフィス１０８を流通する液体に共振現象（液柱共振）が生じ、この液柱共振の作用によってシェイク振動を特に効果的に吸収できる。
【００６１】
また防振装置１０では、入力振動の周波数がシェイク振動の周波数よりも高く、その振幅が小さい場合、例えば、入力振動がアイドル振動（例えば、２０〜４０Ｈｚ）の場合は、シェイク振動に適合するようにチューニングされたシェイクオリフィス１０８が目詰まり状態となり、シェイクオリフィス１０８には液体が流れ難くなるが、可動メンブラン９０の弁体部９４が収納室８８内で入力振動に同期して振動することにより、受圧液室８４と副液室８６との間に実質的に液圧差が生じている時に、弁体部９４が頂板部４８及び蓋金具５０の双方から離間した状態となり、収納室８８内を通って受圧液室８４と副液室８６との間を液体が流通可能になる。
【００６２】
この結果、防振装置１０では、アイドル振動や、このアイドル振動よりも更に高い周波数を有するこもり音等の高周波振動の入力時には、下側開口５６、収納室８８及び上側開口７４を通って受圧液室８４内の液体が副液室８６へ流出可能になる。これにより、受圧液室８４内の液圧上昇に伴う装置の動ばね定数の上昇を抑えることができるので、弾性体１８に弾性変形を生じさせ、弾性体１８により高周波振動も効果的に吸収できる。
【００６３】
また防振装置１０では、逆止弁９６がゴム製の可動メンブラン９０と一体的に設けられた弁体９８を備え、受圧液室８４内の液圧が所定の下限値ＰＬまで低下すると、逆止弁９６が弁体９８における可撓片１０４を受圧液室８４側へ撓み変形させてスリット１０２を開口することにより、外筒金具１４又は取付金具１６を介して過大な荷重が入力し、受圧液室８４内の液圧が下限値ＰＬまで低下すると、逆止弁９６が閉鎖状態から開放状態になって、弁体９８のスリット１０２を通して副液室８６から受圧液室８４内へ液体が流れ込むので、受圧液室８４内の液圧が下限値ＰＬよりも低下することが阻止される。
【００６４】
この結果、防振装置１０によれば、大荷重が入力した場合でも、受圧液室８４内の液圧を０Ｐａ（絶対圧）よりも確実に高圧に維持でき、受圧液室８４内の液体にキャビテーション（気泡）が発生することを防止できるので、気泡の消滅に伴う異音の発生及び防振性能の低下を防止できる。
【００６５】
また逆止弁９６における弁体９８が可動メンブラン９０と一体的に設けられていることから、逆止弁９６自体の構造及び逆止弁９６が配置される仕切部材４４の構造をそれぞれ簡単なものにできるので、キャビテーション発生を防止するための逆止弁９６を設けることによる装置構造の複雑化を効果的に抑制できる。
【００６６】
[第２実施形態]
図７には、本発明の第２実施形態に係る防振装置における仕切部材が示されている。第２の実施形態に係る防振装置も、第１実施形態に係る防振装置１０と同様に、自動車における振動発生部であるエンジンを振動受部である車体へ支持するエンジンマウントとして適用されるものである。なお、第２実施形態に係る防振装置が第１の実施形態に係る防振装置１０と異なる点は、仕切部材４４内の収納室８８内に可動メンブラン９０が配置されておらず、可動メンブラン９０の代わり固定メンブラン１２０が配置されている点のみである。このことから、以下の第２の実施形態についての記載では、第１実施形態に係る防振装置１０と同一の部分には同一符号を付して説明を省略する。
【００６７】
仕切部材４４の収納室８８内に配置された固定メンブラン１２０には、ボス部９２の外周端から外周側へ延出するリング状の弾性隔膜部１２２が一体的に形成されている。弾性隔膜部１２２は厚さが任意の部位で略一定とされており、その外周端が凹部５２の内周面に全周に亘って固着されている。
【００６８】
弾性隔膜部１２２は、その厚さが収納室８８の軸方向に沿った幅ＳＴ（図２参照）よりも所定寸法薄くなっている。具体的には、弾性隔膜部１２２の厚さは、アイドル振動の入力時おける受圧液室８４の内容積の変化量に応じて設定される。これにより、弾性隔膜部１２２は、受圧液室８４内の液圧変化に応じて受圧液室８４の内容積を拡縮するように弾性変形するが、その変形量が受圧液室８４の内容積の変化量に対応する範囲内に制限され、それを越える過大な弾性変形が仕切部材４４における頂板部４８及び蓋金具５０により阻止される。
【００６９】
次に、上記のように構成された本実施形態に係る防振装置の動作及び作用について説明する。
【００７０】
本実施形態に係る防振装置では、エンジン又は車体側からの振動入力時に、弾性体１８が弾性変形すると、受圧液室８４の内容積が変化（拡縮)して液圧が変化する。この液圧変化に伴って、シェイクオリフィス１０８を通って受圧液室８４と副液室８６との間で液体が相互に流通すると共に、収納室８８内の固定メンブラン１２０には入力振動に同期して周期的に変化する液圧（圧力波）が作用する。これにより、固定メンブラン１２０の弾性隔膜部１２２は、収納室８８内で受圧液室８４内の液圧変化に同期して、受圧液室８４の内容積を拡縮するように受圧液室８４側及び副液室８６側へ交互に弾性変形する。
【００７１】
本実施形態の防振装置では、シェイク振動の入力時には、弾性体１８の弾性変形に伴って受圧液室８４内に周期的な液圧変化が生じ、この液圧変化に同期しシェイクオリフィス１０８を通して受圧液室８４と副液室８６との間で液体が相互に流通することから、シェイクオリフィス１０８を流通する液体に共振現象（液柱共振）が生じ、この液柱共振の作用によってシェイク振動を特に効果的に吸収できる。
【００７２】
このとき、弾性隔膜部１２２が受圧液室８４内の液圧変化に応じて受圧液室８４の内容積を拡縮するように弾性変形するが、その変形量が受圧液室８４の内容積の変化量に対応する範囲内に制限され、それを越える過大な弾性変形が仕切部材４４における頂板部４８及び蓋金具５０により阻止されることから、シェイクオリフィス１０８における液柱共振の駆動力となる受圧液室８４内の液圧変化（液圧振幅）の損失が抑制される。
【００７３】
また本実施形態に係る防振装置では、入力振動の周波数がシェイク振動の周波数よりも高く、その振幅が小さい場合、例えば、入力振動がアイドル振動（例えば、２０〜４０Ｈｚ）の場合には、シェイク振動に適合するようにチューニングされたシェイクオリフィス１０８が目詰まり状態となり、シェイクオリフィス１０８には液体が流れ難くなるが、固定メンブラン１２０の弾性隔膜部１２２が収納室８８内で受圧液室８４内の液圧変化に同期して受圧液室８４の内容積を拡縮する方向へ弾性変形することにより、受圧液室８４内の液圧上昇に伴う動ばね定数の上昇を抑制できるので、このような高周波側の振動の入力時にも、動ばね定数を低く維持し、弾性体１８の弾性変形により高周波側の入力振動（アイドル振動及びこもり音）を効果的に遮断及び吸収できる。
【００７４】
また本実施形態に係る防振装置でも、第１実施形態に係る防振装置１０と同様に、逆止弁９６がゴム製の可動メンブラン９０と一体的に設けられた弁体９８を備えていることから、大荷重が入力した場合でも、受圧液室８４内の液圧を０Ｐａ（絶対圧）よりも確実に高圧に維持でき、受圧液室８４内の液体にキャビテーション（気泡）が発生することを防止できるので、気泡の消滅に伴う異音の発生及び防振性能の低下を防止できる。
【００７５】
なお、本発明の実施形態に係る防振装置では、取付金具１６をエンジン側に連結すると共に、外筒金具１４を車体側に連結したが、これとは逆に、取付金具１６を車体側に連結すると共に、外筒金具１４をエンジン側に連結するようにしても良い。
【図面の簡単な説明】
【００７６】
【図１】本発明の第１実施形態に係る防振装置の全体構成を示す側面断面図である。
【図２】図１に示される防振装置における仕切部材の構成を示す分解斜視図である。
【図３】図１に示される防振装置における仕切部材の構成を示す側面断面図である。
【図４】図１に示される防振装置における仕切部材の構成を示す一部を破断面として斜視図である。
【図５】図１に示される防振装置における仕切部材の構成を示す斜視図である。
【図６】図１に示される防振装置における可動メンブラン及び弁体部の斜視図であり、（Ａ）は弁体部が閉鎖状態にあり、（Ｂ）は弁体部が開放状態にあるときをそれぞれ示している。
【図７】本発明の第２実施形態に係る防振装置における仕切部材の構成を示す側面断面図である。
【符号の説明】
【００７７】
１０      防振装置
１４      外筒金具（第１の取付部材）
１６      取付金具（第２の取付部材）
１８      弾性体（ゴム状弾性体）
４４      仕切部材
５６      下側開口（第２の開口部）
５８      ストッパ部
７４      上側開口（第１の開口部）
８４      受圧液室
８６      副液室
８８      収納室
９０      可動メンブラン（メンブラン部材）
９６      逆止弁
９８      弁体（弁体部）
１００    弾性隔壁
１０２    スリット
１０４    可撓片
１０８    シェイクオリフィス（オリフィス通路）
１２０    固定メンブラン（メンブラン部材）
Ｆ  液体流路
【図１】
2008175321.tif 000003
【図２】
2008175321.tif 000004
【図３】
2008175321.tif 000005
【図４】
2008175321.tif 000006
【図５】
2008175321.tif 000007
【図６】
2008175321.tif 000008
【図７】
2008175321.tif 000009